(57)【要約】【課題】扉の開閉時に音が生じにくいラッチ錠を提供することである。【解決手段】ラッチ６と、ラッチ６を保持するラッチケース７を有し、ラッチ６は、ラッチケース７から突出する突出位置とラッチケース７内に退入する退入位置の間をスライド移動可能であると共に、突出位置で揺動が可能であり、ラッチ６がラッチケース７から突出する突出方向に付勢力を生じさせるばね９と、ばね９によってラッチ６の突出方向に付勢されてラッチ６を押圧する押圧部材８とを有し、押圧部材８又はラッチケース７のいずれか一方が、ラッチ６の突出方向に対して傾斜する溝１４を有し、押圧部材８又はラッチケース７のいずれか他方が突起部２３ａ、２３ｂを有し、突起部２３ａ、２３ｂは溝１４に係合しており、押圧部材８が移動する際に、突起部２３ａ、２３ｂが溝１４に沿って相対移動する。【選択図】図１４
2018112018.tif 000002
【特許請求の範囲】
【請求項１】
ラッチと、当該ラッチを保持する保持部を有する錠箱とを有し、
前記ラッチは、錠箱から突出する突出位置と錠箱内に退入する退入位置の間をスライド移動可能であり、
ラッチが錠箱から突出する突出方向に付勢力を生じさせる付勢部材と、
前記付勢部材によってラッチの突出方向に付勢されてラッチを押圧する押圧部材とを有し、
前記押圧部材又は錠箱の前記保持部のいずれか一方が、ラッチの突出方向に対して傾斜するガイドラインを有し、
前記押圧部材又は前記保持部のいずれか他方が係合部を有し、
前記係合部は前記ガイドラインに係合しており、
押圧部材が移動する際に、前記係合部が前記ガイドラインに沿って相対移動することを特徴とするラッチ錠。
【請求項２】
前記ラッチは、突出位置で揺動が可能であることを特徴とする請求項１に記載のラッチ錠。
【請求項３】
前記押圧部材は、ラッチの突出方向に長さを有しており、
少なくとも二つの支持部材が押圧部材の長手方向に配置されていて、前記各支持部材を介して錠箱の保持部に押圧部材が押圧部材の長手方向に移動可能に支持されており、
二つの支持部材の間に前記付勢部材が配されていて、ラッチ側に配されたラッチ側支持部材が押圧部材と共に押圧部材の長手方向に移動可能であることを特徴とする請求項１又は２に記載のラッチ錠。
【請求項４】
前記押圧部材はラッチの突出方向に長さを有しており、
押圧部材に長手方向にのびる螺旋状の前記ガイドラインが設けられており、
押圧部材は軸芯回りに回転可能に錠箱の前記保持部に支持されており、
前記保持部側に前記係合部が設けられていることを特徴とする請求項１乃至３のいずれかに記載のラッチ錠。
【請求項５】
前記押圧部材に前記係合部が設けられており、前記係合部は押圧部材に対して揺動可能であり、錠箱の前記保持部に前記ガイドラインが設けられていることを特徴とする請求項１乃至３のいずれかに記載のラッチ錠。
【請求項６】
ラッチと、当該ラッチを収容する収容部材を有し、
前記ラッチは、収容部材から突出する突出位置と収容部材内に退入する退入位置の間をスライド移動可能であると共に、収容部材に対して揺動が可能であり、
ラッチが収容部材から突出する突出方向に付勢力を生じさせる付勢部材と、
前記付勢部材によってラッチの突出方向に付勢されてラッチを押圧する押圧部材とを有し、
前記押圧部材は、ラッチの突出方向に長さを有しており、
少なくとも二つの支持部材が押圧部材の長手方向に配置されていて、前記各支持部材を介して押圧部材が収容部材に長手方向に移動可能に支持されており、
二つの支持部材の間に前記付勢部材が配されていて、ラッチ側に配されたラッチ側支持部材が押圧部材と共に押圧部材の長手方向に移動可能であり、
前記押圧部材又は収容部材のいずれか一方が、ラッチの突出方向に対して傾斜するガイドラインを有し、
前記押圧部材又は収容部材のいずれか他方が係合部を有し、
前記係合部は前記ガイドラインと係合しており、
押圧部材が移動する際に、前記係合部が前記ガイドラインに沿って相対移動することを特徴とするラッチ錠。
【請求項７】
前記ガイドラインは、押圧部材に設けられた押圧部材の長手方向にのびる螺旋状の溝であり、
押圧部材は軸芯回りに回転可能に収容部材に支持されており、
前記収容部材側に前記係合部が設けられていることを特徴とする請求項６に記載のラッチ錠。
【請求項８】
押圧部材とラッチ側支持部材が一体化されており、押圧部材に、当該押圧部材に対して揺動可能な係合部が設けられており、
前記ガイドラインは、収容部材に設けられた溝又は長孔であることを特徴とする請求項６に記載のラッチ錠。
【発明の詳細な説明】
【技術分野】
【０００１】
本発明は、扉に設置されるラッチ錠に関するものである。
【背景技術】
【０００２】
扉が開閉するときには、扉内（錠箱内）に退入したラッチが元の姿勢に復帰することに起因するカチッという音が生じる。
この音は、病院や図書館等の静寂な環境下においては耳障りであり、改善が望まれていた。特許文献１、２には、ラッチが錠箱から突出する際の移動速度を遅くし、音が生じにくくなるようにするための構成が開示されている。
【先行技術文献】
【特許文献】
【０００３】
【特許文献１】特許第３７１０１０４号公報
【特許文献２】特許第５６５９４３６号公報
【発明の概要】
【発明が解決しようとする課題】
【０００４】
ところで、特許文献１、２の様な従来の消音装置は、部品点数が多い上に構造が複雑であるという短所があり改善の余地がある。
そこで本発明は、簡単な構成でラッチの復帰時の移動速度を低減させ、扉の開閉時に音が生じにくいラッチ錠を提供することを課題としている。
【課題を解決するための手段】
【０００５】
上記課題を解決するための請求項１に記載の発明は、ラッチと、当該ラッチを保持する保持部を有する錠箱とを有し、前記ラッチは、錠箱から突出する突出位置と錠箱内に退入する退入位置の間をスライド移動可能であり、ラッチが錠箱から突出する突出方向に付勢力を生じさせる付勢部材と、前記付勢部材によってラッチの突出方向に付勢されてラッチを押圧する押圧部材とを有し、前記押圧部材又は錠箱の前記保持部のいずれか一方が、ラッチの突出方向に対して傾斜するガイドラインを有し、前記押圧部材又は前記保持部のいずれか他方が係合部を有し、前記係合部は前記ガイドラインに係合しており、押圧部材が移動する際に、前記係合部が前記ガイドラインに沿って相対移動することを特徴とするラッチ錠である。
【０００６】
請求項１に記載の発明では、押圧部材及びラッチが移動する際に、係合部がガイドラインに沿って相対移動する。ここで、ガイドラインはラッチの突出方向に対して傾斜している。すなわち、ガイドラインは、押圧部材及びラッチの移動方向に対して傾斜している。
そのため、ラッチの移動距離に対して、係合部のガイドラインに対する相対移動距離（すなわち、実質的な移動距離）が長くなり、ラッチの移動速度が遅くなる。
また、係合部とガイドラインの間で摩擦力が作用する。そのため、押圧部材及びラッチの移動速度が抑制される。
その結果、扉の開閉時にラッチが退入位置から突出位置に復帰することに起因する音は生じにくくなる。
ここで、錠箱から突出する突出位置とは、ラッチが錠箱から最も突出する位置であり、錠箱内に退入する退入位置とは、ラッチ全体が錠箱の中に入り込む場合のみならず、ラッチの一部が錠箱から突出している状態も含んでいる。すなわち退入位置におけるラッチの錠箱からの突出量は、突出位置におけるラッチの錠箱からの突出量よりも少ない。
【０００７】
請求項２に記載の発明は、前記ラッチは、突出位置で揺動が可能であることを特徴とする請求項１に記載のラッチ錠である。
【０００８】
ラッチが突出位置で揺動が可能である場合には、退入位置から突出位置に復帰する際に特に音が生じやすいが、本発明によるとラッチの移動速度が遅くなるので、この様な場合であっても音の発生を良好に抑制できる。
【０００９】
請求項３に記載の発明は、前記押圧部材は、ラッチの突出方向に長さを有しており、少なくとも二つの支持部材が押圧部材の長手方向に配置されていて、前記各支持部材を介して錠箱の保持部に押圧部材が押圧部材の長手方向に移動可能に支持されており、二つの支持部材の間に前記付勢部材が配されていて、ラッチ側に配されたラッチ側支持部材が押圧部材と共に押圧部材の長手方向に移動可能であることを特徴とする請求項１又は２に記載のラッチ錠である。
【００１０】
請求項３に記載の発明では、押圧部材は、ラッチの突出方向に長さを有しており、少なくとも二つの支持部材が押圧部材の長手方向に配置されており、各支持部材を介して錠箱の保持部に押圧部材が押圧部材の長手方向に移動可能に支持されているので、錠箱内における押圧部材の支持は安定している。
二つの支持部材の間に付勢部材が配されていて、ラッチ側に配されたラッチ側支持部材が押圧部材と共に押圧部材の長手方向に移動可能であるので、押圧部材におけるラッチ側の支持が常に安定する。そのため、押圧部材の姿勢が安定し、ラッチを良好に押圧することができる。
ラッチ側支持部材は、押圧部材と一体化されていてもよい。
【００１１】
前記押圧部材はラッチの突出方向に長さを有しており、押圧部材に長手方向にのびる螺旋状の前記ガイドラインが設けられており、押圧部材は軸芯回りに回転可能に錠箱の前記保持部に支持されており、前記保持部側に前記係合部が設けられているのが好ましい（請求項４）。
【００１２】
前記押圧部材に前記係合部が設けられており、前記係合部は押圧部材に対して揺動可能であり、錠箱の前記保持部に前記ガイドラインが設けられていてもよい（請求項５）。
【００１３】
請求項６に記載の発明は、ラッチと、当該ラッチを収容する収容部材を有し、前記ラッチは、収容部材から突出する突出位置と収容部材内に退入する退入位置の間をスライド移動可能であると共に、収容部材に対して揺動が可能であり、ラッチが収容部材から突出する突出方向に付勢力を生じさせる付勢部材と、前記付勢部材によってラッチの突出方向に付勢されてラッチを押圧する押圧部材とを有し、前記押圧部材は、ラッチの突出方向に長さを有しており、少なくとも二つの支持部材が押圧部材の長手方向に配置されていて、前記各支持部材を介して押圧部材が収容部材に長手方向に移動可能に支持されており、二つの支持部材の間に前記付勢部材が配されていて、ラッチ側に配されたラッチ側支持部材が押圧部材と共に押圧部材の長手方向に移動可能であり、前記押圧部材又は収容部材のいずれか一方が、ラッチの突出方向に対して傾斜するガイドラインを有し、前記押圧部材又は収容部材のいずれか他方が係合部を有し、前記係合部は前記ガイドラインと係合しており、押圧部材が移動する際に、前記係合部が前記ガイドラインに沿って相対移動することを特徴とするラッチ錠である。
【００１４】
請求項６に記載の発明では、押圧部材及びラッチが移動する際に、係合部がガイドラインに沿って相対移動する。ここで、ガイドラインはラッチの突出方向に対して傾斜している。すなわち、ガイドラインは、押圧部材及びラッチの移動方向に対して傾斜している。
そのため、ラッチの移動距離に対して、係合部のガイドラインに対する相対移動距離（すなわち、実質的な移動距離）が長くなり、ラッチの移動速度が遅くなる。
また、係合部とガイドラインの間で摩擦力が作用する。そのため、押圧部材及びラッチの移動速度が抑制される。
その結果、扉の開閉時にラッチが退入位置から突出位置に復帰することに起因する音は生じにくくなる。
また、押圧部材は、ラッチの突出方向に長さを有しており、少なくとも二つの支持部材が押圧部材の長手方向に配置されており、各支持部材を介して収容部材に押圧部材が押圧部材の長手方向に移動可能に支持されているので、収容部材内における押圧部材の支持は安定している。
二つの支持部材の間に付勢部材が配されていて、ラッチ側に配されたラッチ側支持部材が押圧部材と共に押圧部材の長手方向に移動可能であるので、押圧部材におけるラッチ側の支持が常に安定する。そのため、押圧部材の姿勢が安定し、ラッチを良好に押圧することができる。
ラッチ側支持部材は、押圧部材と一体化されていてもよい。
ここで、収容部材から突出する突出位置とは、ラッチが収容部材から最も突出する位置であり、収容部材内に退入する退入位置とは、ラッチ全体が収容部材の中に入り込む場合のみならず、ラッチの一部が収容部材から突出している状態も含んでいる。すなわち退入位置におけるラッチの収容部材からの突出量は、突出位置におけるラッチの収容部材からの突出量よりも少ない。
【００１５】
前記ガイドラインは、押圧部材に設けられた押圧部材の長手方向にのびる螺旋状の溝であり、押圧部材は軸芯回りに回転可能に収容部材に支持されており、前記収容部材側に前記係合部が設けられているのが好ましい（請求項７）。
【００１６】
押圧部材とラッチ側支持部材が一体化されており、押圧部材に、当該押圧部材に対して揺動可能な係合部が設けられており、前記ガイドラインは、収容部材に設けられた溝又は長孔であるのが好ましい（請求項８）。
【発明の効果】
【００１７】
本発明のラッチ錠は、少ない部品点数と簡単な構造によって、ラッチの移動速度を抑制することができ、ラッチの退入位置から突出位置への復帰時の音を良好に低減することができる。
【図面の簡単な説明】
【００１８】
【図１】本発明の第一実施形態に係るラッチ錠の正面図であり、ラッチが戸枠側の受け部に係合している状態を示す。
【図２】図１のラッチ錠の内部構造を示す正面図である。
【図３】図１のラッチ錠において、錠箱からラッチユニットが外された状態を示す正面図である。
【図４】図３のラッチユニットの（ａ）は正面側から見た斜視図であり、（ｂ）は背面側から見た斜視図である。
【図５】図４（ａ）のラッチユニットを下方側から見た斜視図である。
【図６】図４のラッチユニットの、ラッチケースの内部を示す斜視図である。
【図７】図６とは別の角度から見たラッチユニットの内部を示す斜視図である。
【図８】図６のラッチユニットの内部を下方側から見た斜視図である。
【図９】ラッチユニットの内部構造の分解斜視図である。
【図１０】反ラッチ側支持部材の（ａ）は正面図であり、（ｂ）は背面図である。
【図１１】ラッチ側支持部材の背面側から見た斜視図である。
【図１２】ラッチの背面側から見た斜視図である。
【図１３】図４のラッチユニットの背面側から見た斜視図であり、反ラッチ側支持部材を外した状態を示している。
【図１４】図４のラッチユニットの内部とその周辺部分を示しており、（ａ）はラッチが突出位置にある状態を示す正面図であり、（ｂ）はラッチが退入位置にある状態を示す正面図であり、（ｃ）は（ａ）のＡ−Ａ断面図である。
【図１５】本発明の第二実施形態に係るラッチ錠のラッチユニットを示す斜視図であり、（ａ）はラッチが突出位置にある状態を示し、（ｂ）はラッチが退入位置にある状態を示す。
【図１６】図１５のラッチユニットのラッチケースの斜視図である。
【図１７】図１５のラッチユニットの内部構造を示す斜視図である。
【図１８】図１７のラッチユニットにおいて、揺動部材が揺動した状態を示す斜視図である。
【図１９】図１７のラッチユニットの内部構造の分解斜視図である。
【図２０】図１７のＢ−Ｂ断面図である。
【図２１】（ａ）〜（ｃ）は、ラッチ及びその周辺の部位を下方から見た図であり、扉が開く際の動作を示す説明図である。
【図２２】（ａ）〜（ｃ）は、ラッチ及びその周辺の部位を下方から見た図であり、扉が閉じる際の動作を示す説明図である。
【発明を実施するための形態】
【００１９】
以下、図面を参照しながら、ラッチ錠３の概要を説明し、続いてラッチ錠３の詳細な構造を説明する。
図１〜図３に示す様に、本発明の第一実施形態に係るラッチ錠３は錠箱５とラッチユニット４を有しており、ラッチユニット４は錠箱５に対して着脱可能である。すなわち、ラッチユニット４はカートリッジ式に錠箱５に装着されている。
ラッチ錠３は、従来のラッチ錠と同様に扉１に取り付けられている。ラッチユニット４はラッチ６を有しており、ラッチ６は錠箱５から突出しており、扉１の閉鎖時には扉枠２の受け部２ａ（凹部）に嵌まり込む。扉１の開閉時には、ラッチ６は扉枠２に押圧されて錠箱５内に一時的に退入し、扉枠２側からの押圧力が作用しなくなると錠箱５から突出する。
【００２０】
図３に示す様に、ラッチ錠３の錠箱５内にはラッチユニット４が収容される収容空間である収容部５ａが設けられている。収容部５ａは、ラッチユニット４をちょうど収容することができるように錠箱５内の他の領域と仕切部５ｂで仕切られた空間である。仕切部５ｂは薄板状の部材で構成されており、ラッチユニット４の形状に沿った形状を呈している。仕切部５ｂの背面側には、後述の押圧部材８を貫通させる孔５０ａ（図２）が設けられている。また、仕切部５ｂの下面側には、後述の揺動防止部材５１の係合片５２を挿通させる長孔５０ｂ（図２）が設けられている。
ラッチユニット４はラッチ６と当該ラッチ６を収容するラッチケース７（収容部材）を有している。すなわち、ラッチ６を収容したラッチケース７（収容部材）が、錠箱５の収容部５ａに収容されている。
【００２１】
以下、本発明の特徴的な構造を有するラッチユニット４について説明する。
図４、図６に示す様に、ラッチユニット４は、ラッチ６、ラッチケース７、押圧部材８、ばね９（付勢部材）、ラッチ側支持部材１０、反ラッチ側支持部材１１を有する。
【００２２】
ラッチ６は反転ラッチであるが、反転するために必要な構造は従来のものと同様である。図６乃至図８に示す様に、ラッチ６の正面側（突出側）には、扉１を開く際に扉枠２と当接する開時当接部３１ａと、扉１を閉じる際に扉枠２と当接する閉時当接部３１ｂが設けられている。開時当接部３１ａと閉時当接部３１ｂは、共に鉛直壁であり、平面視すると両者は鋭角を成している。
【００２３】
図１２に示す様に、ラッチ６の背面側（退入側）には被押圧部６ａが設けられている。被押圧部６ａは、側面部６ｂ、上面部６ｃ、下面部６ｄを有する断面略コの字形を呈する部位である。すなわち、被押圧部６ａは、ラッチ６の背面側の高さ方向の中央部分が凹んだ部位である。側面部６ｂは鉛直壁（垂直壁）を構成しており、上面部６ｃと下面部６ｄは、それぞれ対向する天面壁と底面壁を構成しており、上面部６ｃ及び下面部６ｄが形成する天面及び底面は水平面である。
【００２４】
上面部６ｃは、平面視するとラッチ６の背面側に鋭角に突出したような形状を呈しており、一方側の側面が傾斜面部３５ａを構成しており、他方側の側面が直交面部４４ａを構成している。傾斜面部３５ａと直交面部４４ａは共に鉛直壁であり、互いに鋭角に交差している。
【００２５】
ラッチ６を平面視及び底面視する（すなわち、上方及び下方から見る）と、上面部６ｃと下面部６ｄの輪郭が重なって見える。すなわち、下面部６ｄは、傾斜面部３５ｂと直交面部４４ｂを有しており、傾斜面部３５ａ、３５ｂは同一面内にあり、直交面部４４ａ、４４ｂも同一面内にあり、ラッチ６を平面視すると傾斜面部３５ａ、３５ｂは重なって見え、直交面部４４ａ、４４ｂも重なって見える。
【００２６】
さらに、上面部６ｃには直交面部４４ａが形成されている。上面部６ｃを平面視すると、直交面部４４ａと傾斜面部３５ａは鋭角を成している。同様に、下面部６ｄには直交面部４４ｂが形成されており、直交面部４４ｂと傾斜面部３５ｂは鋭角を成している。直交面部４４ａ、４４ｂは、同一面内にある。
【００２７】
開時当接部３１ａは、傾斜面部３５ａ、３５ｂと交差して連続している。また、閉時当接部３１ｂは、直交面部４４ａ、４４ｂと交差して連続している。すなわち、ラッチ６を平面視又は底面視すると、開時当接部３１ａ、閉時当接部３１ｂ、傾斜面部３５ａ（３５ｂ）、直交面部４４ａ（４４ｂ）が四辺の位置にある菱形を構成している。
被押圧部６ａは、後述の押圧部材８及びラッチ側支持部材１０が配置される部位である。被押圧部６ａが押圧されることによって、ラッチ６はラッチケース７（錠箱５、扉１）から突出する。
【００２８】
ラッチ６の上部には係合部３０が設けられている。係合部３０は、ラッチ６の高さ方向に厚みを有する部位である。係合部３０には、係合溝３０ａが形成されている。また、係合部３０の突出側には起立壁部３２が形成されている。起立壁部３２は、係合溝３０ａと直交する面を構成している。
ラッチ６を平面視すると、起立壁部３２は、傾斜面部３５ａ、３５ｂと傾斜しており、直交面部４４ａ、４４ｂと直交している。
【００２９】
図８、図１２に示す様に、ラッチ６の下部にも同様の係合溝３０ａを有する係合部３０が設けられている。
【００３０】
ラッチケース７は、図４（ａ）、図４（ｂ）、及び図５に示す様に、外形が略直方体形状を呈する部材であり、内部にはラッチ６等を収容する空間が形成されている。すなわちラッチケース７は、一対の側面壁部２６ａ、２６ｂと、対向する天面壁部２７及び底面壁部２８を有しており、略四角筒形状を呈している。
【００３１】
天面壁部２７には、ラッチ６の突出方向にのびる切欠部２９が設けられている。切欠部２９によって、ラッチケース７の内外は連通している。図５に示す様に、底面壁部２８にも、天面壁部２７の切欠部２９と同様の切欠部２９が設けられている。底面壁部２８の切欠部２９は、錠箱５の仕切部５ｂの長孔５０ｂと一致している。
【００３２】
ラッチケース７の正面側にはラッチ６を出没させる開口７ａが設けられている。また、ラッチケース７の背面側も開口しており、ラッチケース７の内部には正面側から背面側に連通した空間が形成されている。
【００３３】
側面壁部２６ａ、２６ｂの背面側の端辺には、それぞれ突出係合部１２ａ、１２ｂが設けられている。突出係合部１２ａ、１２ｂは、ラッチケース７の正面側から背面側へ向かう方向にのびている。突出係合部１２ａ、１２ｂには、それぞれ係合孔１３ａ、１３ｂが設けられている。係合孔１３ａ、１３ｂは対向した位置関係にある。
【００３４】
押圧部材８は、図９に示す様に、長さを有する円柱状の本体部８ａとフランジ部８ｂを有するボルトの様な構造を有する部材である。フランジ部８ｂは、本体部８ａの正面側（ラッチ側）の端部に設けられている。
また、本体部８ａの側面には螺旋状の２条の溝１４ａ、１４ｂ（ガイドライン）が設けられている。
【００３５】
ラッチ側支持部材１０は、図１１に示す様に、外形が略直方体形状を呈する部材であり、内部には空間が形成されている。図９に示す様に、ラッチ側支持部材１０の正面側には正面壁部１５、上部には天面壁部１７、下部には底面壁部１８、側部には側面壁部１６ａ、１６ｂが設けられている。図１１に示す様に、ラッチ側支持部材１０の背面側は開放されている。
【００３６】
ラッチ側支持部材１０では、側面壁部１６ａ、１６ｂが対向しており、天面壁部１７と底面壁部１８も対向しており、これらが筒状に連続しており、正面側に正面壁部１５が直交して連続している。すなわち、正面壁部１５の縁（周囲）には、正面壁部１５と直交する側面壁部１６ａ、１６ｂ、天面壁部１７、及び底面壁部１８が連続している。
【００３７】
正面壁部１５の中央部分には孔１５ａが設けられている。孔１５ａの周囲であって正面壁部１５の内側部分には、後述のばね９（付勢部材）が当接する。また、孔１５ａには、押圧部材８の本体部８ａが貫通する。すなわち、孔１５ａの内径は、押圧部材８の本体部８ａを通過させることができる程度の大きさであり、ばね９の直径よりは小さい。
【００３８】
反ラッチ側支持部材１１は、図１０（ａ）、図１０（ｂ）に示す様に、本体部１９と張出部２０ａ、２０ｂを有する。
本体部１９には本体部１９を貫通する孔２１が設けられており、本体部１９の正面側における孔２１の周囲には段部２２が設けられている。
孔２１の内径は、押圧部材８をちょうど通過させることができる程度の大きさであり、後述のばね９の直径よりは小さい。また、段部２２は、ばね９を当接させる部位である。
【００３９】
孔２１には、図１０（ａ）、図１０（ｂ）に示す様に、二つの突起部２３ａ、２３ｂ（係合部）が設けられている。突起部２３ａ、２３ｂは、孔２１の内周面から内向きに突出しており、互いに対向して接近する方向に突出している。すなわち、突起部２３ａ、２３ｂは、孔２１の内周面の１８０度の位置関係にある。換言すると、突起部２３ａの延長上に突起部２３ｂがある。
【００４０】
張出部２０ａ、２０ｂの端部には、それぞれ挿入部２４ａ、２４ｂが設けられている。挿入部２４ａ、２４ｂは、図１３に示すラッチケース７の係合孔１３ａ、１３ｂに挿入する部位である。図７及び図１０（ｂ）に示す様に、挿入部２４ａ、２４ｂの背面側には、それぞれ隆起部２５ａ、２５ｂが設けられている。
【００４１】
隆起部２５ａ、２５ｂは、挿入部２４ａ、２４ｂが、図１３に示すラッチケース７の係合孔１３ａ、１３ｂに挿入された際に、係合孔１３ａ、１３ｂに係合し、挿入部２４ａ、２４ｂと係合孔１３ａ、１３ｂの間に抵抗を付与する抜け止め機能を発揮する。
【００４２】
図２に示す様に、錠箱５内には、係合片５２を有する揺動防止部材５１が設けられている。揺動防止部材５１は錠箱５内で回動可能であり、ばね５３によって一方向に付勢されている。また、揺動防止部材５１は、図示しない操作ハンドルを操作することにより、ばね５３の付勢力に抗して揺動防止部材５１を回動させることができる。
【００４３】
係合片５２は、ラッチ６の下方に配置されており、錠箱５（仕切部５ｂ）の長孔５０ｂと、ラッチケース７の底面壁部２８の切欠部２９（図５）を貫通して、ラッチ６の下部に設けた係合部３０の係合溝３０ａ（図５、図８）と係合している。ばね５３は、係合片５２が係合溝３０ａと係合する方向に揺動防止部材５１を付勢している。すなわち、図示しない操作ハンドルを操作すると、係合片５２がラッチ６の係合溝３０ａから外れ、操作ハンドルから手を離すとばね５３によって係合片５２が元の位置に復帰して係合溝３０ａと係合する。
【００４４】
係合片５２が係合溝３０ａに係合するとラッチ６は揺動不能となり、係合片５２が係合溝３０ａから外れるとラッチ６は揺動可能になる。すなわち、係合片５２が係合溝３０ａから外れた状態で当接部３１が扉枠２に当接すると、ラッチ６は揺動する。
揺動防止部材５１の詳しい構造の説明は省略する。
【００４５】
ばね９（付勢部材）は螺旋ばねであり、ラッチ側支持部材１０、反ラッチ側支持部材１１の間に配された圧縮ばねである。すなわち、ばね９の正面側の端部はラッチ側支持部材１０の正面壁部１５に当接しており、背面側の端部は反ラッチ側支持部材１１の段部２２に当接している。そのため、ラッチ側支持部材１０が反ラッチ側支持部材１１に接近するほどばね９は圧縮されて付勢力は大きくなる。
【００４６】
次に、ラッチユニット４の各構成部材の関係について説明する。
図１４（ａ）に示す様に、押圧部材８の本体部８ａがラッチ側支持部材１０の正面壁部１５の孔１５ａ（図９）を貫通し、フランジ部８ｂが正面壁部１５に当接している。
また、押圧部材８の本体部８ａは、図１３に示す反ラッチ側支持部材１１の孔２１も貫通しており、図１４（ｃ）に示す様に、孔２１の突起部２３ａ、２３ｂ（係合部）が、押圧部材８の螺旋状の２条の溝１４ａ、１４ｂ（ガイドライン）にそれぞれ係合している。図７では、突起部２３ａが一方の溝１４ａに係合している状態が示されているが、図１４（ｃ）に示す様に、突起部２３ｂも他方の溝１４ｂに係合している。
【００４７】
押圧部材８の本体部８ａには、ばね９（付勢部材）が外嵌されている。ばね９の正面側（ラッチ側）の端部が、ラッチ側支持部材１０の正面壁部１５に当接している。また、ばね９の背面側（反ラッチ側）の端部が、反ラッチ側支持部材１１の段部２２に当接している。
【００４８】
図６、図７に示すラッチ６、ラッチ側支持部材１０、反ラッチ側支持部材１１、押圧部材８、ばね９が、図４（ａ）、図４（ｂ）に示すラッチケース７に装着されている。すなわち、ラッチケース７は、ラッチ６を収容する収容部材として機能すると共に、ラッチ６を保持する保持部としても機能する。
【００４９】
ラッチ６は、図４（ａ）に示す様に、開口７ａの縁３９（抜け止め）に係合してラッチケース７の開口７ａから一部が突出した状態で保持されている。すなわち、図６に示すラッチ６の起立壁部３２が開口７ａの縁３９に当接し、ラッチケース７からのラッチ６のそれ以上の突出が阻止されている。
【００５０】
また、押圧部材８のフランジ部８ｂが、図７、図１４（ａ）等に示す様に、ラッチ６の被押圧部６ａの側面部６ｂに当接している。
さらに、反ラッチ側支持部材１１の挿入部２４ａ、２４ｂが、ラッチケース７の突出係合部１２ａ、１２ｂの係合孔１３ａ、１３ｂに挿入されている。挿入部２４ａ、２４ｂの隆起部２５ａ、２５ｂが係合孔１３ａ、１３ｂに係合している。そのため、反ラッチ側支持部材１１は、ラッチケース７から容易に外れることがない。
【００５１】
反ラッチ側支持部材１１は、ラッチケース７と一体化されている。すなわち、反ラッチ側支持部材１１は、ラッチケース７の一部とみなすこともできる。
ばね９は、ラッチ側支持部材１０と反ラッチ側支持部材１１の間に縮設されている。そのため、ばね９の付勢力はラッチ６に作用している。
【００５２】
押圧部材８及びばね９は、ラッチ側支持部材１０と反ラッチ側支持部材１１を介してラッチケース７に対して水平姿勢で支持されている。
【００５３】
さらに、ラッチユニット４は、錠箱５の収容部５ａに収容されて図示しない固定手段によって固定されている。ラッチケース７の底面壁部２８の切欠部２９（図５）と、錠箱５の仕切部５ｂの長孔５０ｂは一致している。さらに、ラッチ６が突出位置にあるときには、図５に示す様に、ラッチ６の係合溝３０ａは、ラッチケース７の底面壁部２８の切欠部２９と一致している。また、係合溝３０ａ及び切欠部２９は、錠箱５の長孔５０ｂ（図２）と一致している。すなわち、ラッチ６が突出位置にあるときには、係合溝３０ａ、切欠部２９、長孔５０ｂが平行な状態で重なっており、係合片５２（図２、図２１（ａ））が切欠部２９、長孔５０ｂを貫通して係合溝３０ａに係合することができる。
【００５４】
次に、ラッチ錠３の動作について説明する。
図１に示す扉１は、図２１（ａ）等に示す様に、建物（扉枠２）にヒンジ４８を介して回動可能に支持されている。すなわち扉１は、図２１（ａ）乃至図２１（ｃ）に示す様に、ヒンジ４８を中心に矢印Ａで示す方向に回動して開き、図２２（ａ）乃至図２２（ｃ）に示す様に、ヒンジ４８を中心に矢印Ｂで示す方向に回動して閉じる。
【００５５】
図２１（ａ）に示す様な扉１（図１）が閉じた状態では、ラッチ６がラッチケース７の開口７ａから最も突出した突出位置にある。
扉１（図１）が閉じた状態では、ラッチ６の係合溝３０ａに係合片５２が係合しているために、ラッチ６は揺動が不能である。図示しない操作ハンドルを操作すると、係合片５２を係合溝３０ａから外すことができる。この状態では、ラッチ６は揺動することができる。
【００５６】
扉１（図１）を開く際、ばね５３（図２）の付勢力に抗して図示しない操作ハンドルを操作し、ラッチ６の係合溝３０ａ（図５、図８）から係合片５２（図２、図２１（ａ））を外し、扉１を矢印Ａ方向に回動させると、図２１（ａ）、図２１（ｂ）に示すラッチ６の当接部３１が扉枠２に押圧されてラッチ６が揺動する。
【００５７】
図２１（ｂ）に示す状態では、係合溝３０ａが、長孔５０ｂ（図２）及び切欠部２９（図５）と平行ではなくなっており、係合片５２は係合溝３０ａと係合することはできない。また、ラッチケース７の開口７ａの縁３９と、ラッチ６の係合部３０の起立壁部３２も平行ではなくなっている。
【００５８】
図２１（ｂ）に示す状態からさらに矢印Ａ方向に扉１を回動させると、ラッチ６が揺動すると共に当接部３１が扉枠２に対して摺動し、ラッチ６の先端部分が扉枠２に当接した図２１（ｃ）に示す状態となる。すなわち、ラッチ６は図１４（ａ）に示す突出位置から図１４（ｂ）に示す退入位置に、一時的に錠箱５（ラッチケース７）内に最も退入した退入位置にスライド移動する。
【００５９】
ラッチ６が突出位置から退入位置に移動すると、押圧部材８及びラッチ側支持部材１０も反ラッチ側支持部材１１側へ移動してばね９が圧縮され、ばね９の付勢力は反ラッチ側支持部材１１とラッチ側支持部材１０に作用する。反ラッチ側支持部材１１はラッチケース７と一体であり、ラッチケース７に対して相対移動しないが、ラッチ側支持部材１０はラッチケース７に固定されておらず、ラッチ側支持部材１０はラッチ６及び押圧部材８と共にラッチケース７に対して相対移動することができる。押圧部材８は、錠箱５の仕切部５ｂに設けられた孔５０ａ（図２）を貫通し、退入側へ移動する。
【００６０】
本実施形態では、ラッチ６は、ばね９の付勢力に抗して反ラッチ側支持部材１１に近づくように、突出する向き（突出方向）とは逆の退入する向きにスライド移動する。ラッチ６がスライド移動する方向は、押圧部材８の本体部８ａの軸芯方向（長手方向）である。
【００６１】
図２１（ｃ）に示す様に、ラッチ６が退入位置に移動すると、ラッチ６は揺動して傾斜面部３５ａ、３５ｂがラッチケース７の側面壁部２６ａ（内面）に当接し、ラッチ６の揺動が停止する。
【００６２】
図２１（ｃ）に示す状態から扉１が矢印Ａ方向にさらに回動すると、図２２（ａ）に示す様に、ラッチ６が扉枠２から外れ、ラッチ６はばね９（付勢部材）の付勢力によって突出方向にスライド移動し、起立壁部３２がラッチケース７の縁３９に当接すると共に、直交面部４４ａ、４４ｂがラッチケース７の側面壁部２６ｂ（内面）に当接する。従来のラッチでは、このときに衝突音が生じる。ところが、本実施形態のラッチ錠３ではラッチ６が後述の理由によってゆっくりと動作し、衝突音の発生は抑制される。
【００６３】
衝突音の発生が抑制される理由とは以下の通りである。
【００６４】
図１４（ｃ）に示す様に、押圧部材８の本体部８ａの螺旋状の溝１４ａ、１４ｂ（ガイドライン）には反ラッチ側支持部材１１の突起部２３ａ、２３ｂ（係合部）が係合しており、反ラッチ側支持部材１１はラッチケース７と一体である。
そのため、ラッチ６が本体部８ａの軸芯方向（長手方向）に移動する際には、螺旋状の溝１４ａ、１４ｂが突起部２３ａ、２３ｂから抵抗を受け、押圧部材８がこの抵抗（反力）によって回転する。換言すると、突起部２３ａ、２３ｂ（係合部）が螺旋状の溝１４ａ、１４ｂ（ガイドライン）に沿って相対移動し、押圧部材８が回転しながら直線移動する。
すなわち、ラッチ６が本体部８ａの軸芯方向（長手方向）に移動する際、押圧部材８は直線移動すると共に回転する。
【００６５】
そして、突起部２３ａ、２３ｂが溝１４ａ、１４ｂに沿って移動し、この移動距離がラッチ６の突出・退入方向の移動距離よりも長いため、押圧部材８の移動速度が遅くなる。
また、突起部２３ａ、２３ｂと溝１４ａ、１４ｂの間に摩擦力が生じ、この摩擦力がばね９の付勢力に抗するため、押圧部材８の移動速度は抑制される。すなわち、押圧部材８と一体に突出位置へ移動するラッチ６の移動速度が抑制され、ラッチ６は比較的ゆっくりと退入位置から突出位置へ移動する。
【００６６】
そのため、突出時における、起立壁部３２がラッチケース７の縁３９に衝突する際の衝突音、及び、直交面部４４ａ、４４ｂがラッチケース７の側面壁部２６ｂに衝突する際の衝突音が抑制される。
【００６７】
また、ラッチ６（被押圧部６ａの側面部６ｂ）と、ラッチ側支持部材１０（正面壁部１５）は、押圧部材８のフランジ部８ｂと当接しており、押圧部材８が回転すると、押圧部材８とラッチ６の間、及び押圧部材８とラッチ側支持部材１０の間でも摩擦力が発生する。この摩擦力もばね９の付勢力に抗するため、ラッチ６の突出位置への移動速度は抑制される。
【００６８】
突起部２３ａ、２３ｂは、押圧部材８の本体部８ａの両側から２条の各溝１４ａ、１４ｂに係合しているため、押圧部材８が移動する際に、押圧部材８にはバランスよくばね９の付勢力に抗する摩擦力が発生する。すなわち、押圧部材８は、水平姿勢を保ったまま
突出位置から退入位置へ、又は退入位置から突出位置へ回転しながら移動する。
【００６９】
次に、開いた扉１を閉じる際には、ラッチ６は図２２（ａ）〜図２２（ｃ）に示す様に動作する。
【００７０】
開いた扉１を矢印Ｂ方向に回動させて閉じると、図２２（ａ）に示す様に、ラッチ６の閉時当接部３１ｂが扉枠２に当接する。
図２２（ａ）に示す状態から扉１を矢印Ｂ方向に回動させると、図２２（ｂ）に示す様に、ラッチ６はばね９の付勢力に抗して退入位置へスライド移動する。すなわち、ラッチ６は反転することなくスライド移動するのみであり、ラッチケース７のいずれの部位とも衝突しない。さらに図２２（ｃ）に示す様に、扉１が矢印Ｂ方向に回動すると、ラッチ６は受け部２ａに対向し、突出方向にスライド移動して受け部２ａに嵌まり込む。その際、ラッチ６は突出方向にゆっくりと移動し、起立壁部３２が縁３９にゆっくりと当接する。
【００７１】
すなわち、ラッチ６が受け部２ａの位置に対向すると、扉枠２からの押圧力がなくなる。そのため、ラッチ６はばね９の付勢力によって突出方向にスライド移動し、起立壁部３２がラッチケース７の縁３９に当接する。このときもラッチ６はゆっくりと突出方向にスライド移動するので、起立壁部３２は縁３９にゆっくりと当接し、衝突音の発生は抑制される。
【００７２】
そして、揺動防止部材５１の係合片５２が係合溝３０ａと係合し、ラッチ６は揺動不能な状態となる。
【００７３】
ここで、ラッチ側支持部材１０は、ラッチケース７に対して水平方向にのみ移動可能であり、ラッチ６の被押圧部６ａに配置されており、ラッチ側支持部材１０の天面壁部１７と底面壁部１８が、ラッチ６の上面部６ｃと下面部６ｄに当接しているだけである。そのため、押圧部材８が回転してもラッチ側支持部材１０は回転しない。
また、ラッチ側支持部材１０の側面壁部１６ａ、１６ｂが、ラッチケース７の側面壁部２６ａ、２６ｂの内面に近接対向しており、ラッチ側支持部材１０が押圧部材８の回転に追従して回転（揺動）しようとしてもラッチケース７に当接し、回転（揺動）は阻止される。
さらに、ラッチ側支持部材１０は、ラッチ６を突出方向に押圧するのみであり、ラッチ６を退入方向に牽引することはできない。
【００７４】
図１４（ａ）に示す様に、ラッチ６がラッチケース７（収容部材）又は錠箱５から最も突出する位置がラッチ６の突出位置であり、図１４（ｂ）に示す様に、ラッチ６がラッチケース７（収容部材）内又は錠箱５内に最も退入する位置がラッチ６の退入位置である。すなわち、図１４（ｂ）では、ラッチ６の一部がラッチケース７又は錠箱５から突出しているが、その突出量は図１４（ａ）に示す突出位置におけるラッチ６の突出量よりは少ない。
退入位置におけるラッチ６の突出量は、扉枠２と図１に示す扉１（すなわち、ラッチケース７又は錠箱５）のクリアランス（隙間）と略一致している。
【００７５】
上述の第一実施形態では、反ラッチ側支持部材１１に螺旋状の溝１４ａ、１４ｂに係合する突起部２３ａ、２３ｂを設けた例を示したが、突起部２３ａ、２３ｂは、ラッチケース７や、錠箱５（仕切部５ｂ）等の押圧部材８と相対移動する部位に設けてもよい。すなわち、錠箱５の仕切部５ｂを、ラッチ６を保持する保持部として機能させることも可能である。
また、螺旋状の溝（１４ａ、１４ｂ）は、必ずしも２条（２つ）である必要はなく、１条（１つ）又は３条（３つ）以上であってもよい。
さらに、螺旋状の溝１４ａ、１４ｂの代わりに、押圧部材８の本体部８ａには螺旋状の突条を設け、この突条に係合するコの字形の係合部をラッチケース７や錠箱５等の固定側に設けてもよい。
【００７６】
ラッチケース７は独立したユニットを構成しており、錠箱５の収容部５ａ（図３）に天地逆向きに装着することもできる。この場合には、揺動防止部材５１の係合片５２は、ラッチケース７の天面壁部２７の切欠部２９を介して、ラッチ６の底部側の係合部３０の係合溝３０ａと係合する。
また、本発明は、反転しないラッチであっても実施可能である。
【００７７】
次に図１５乃至図２０を参照しながら本発明の第二実施形態について説明する。
図１５に示すラッチユニット３４は、図１に示すラッチユニット４と同様に錠箱５に装着され、ラッチ錠３３として使用されるものである。
【００７８】
以下、ラッチ錠３３の特徴的な構成であるラッチユニット３４について説明する。
ラッチユニット３４は、図１５乃至図１９に示す様に、ラッチ６、ラッチケース３７、押圧部材４０、支持部材４１、ばね９等を有する。
【００７９】
ラッチ６は、図１２に示す第一実施形態で採用されたものと同様のものである。
【００８０】
図１６に示すラッチケース３７は、図４等に示す第一実施形態のラッチケース７と同様の外形を有しているが、側面壁部４６ａに長孔４５（ガイドライン）が設けられている点がラッチケース７と相違している。長孔４５は、側面壁部４６ａを正面視して略Ｗ字形を呈すると共に側面壁部４６ａを貫通する孔である。すなわち、長孔４５は、図１５（ａ）、図１５（ｂ）に示す様に、ラッチ６の突出又は退入する方向に対してジグザグ状に傾斜して連続する孔である。
【００８１】
図１７乃至図１９に示す様に、押圧部材４０は、正面壁部５５、側面壁部５６ａ、５６ｂ、天面壁部５７、底面壁部５８を有し、背面側が開放された略直方体の外形を呈する箱状部４０ａと、真っ直ぐな棒状の軸部３８を有している。軸部３８は、図２０に示す様に、正面壁部５５に一体化されている。
【００８２】
すなわち、箱状部４０ａの外形は、第一実施形態におけるラッチ側支持部材１０の様な略直方体形状を呈しており、軸部３８は押圧部材８の本体部８ａの様な棒状を呈しており、両者は一体化されている。換言すると、押圧部材４０は、第一実施形態におけるラッチ側支持部材１０と押圧部材８とが一体化された様な構造を有している。
【００８３】
押圧部材４０の箱状部４０ａは突出側から退入側にのびる幅（長さ）を有しており、図２０に示す様に、軸部３８の一端は箱状部４０ａの内部にあって正面壁部５５に一体固着されており、軸部３８の他端は、箱状部４０ａの外側へ突出している。軸部３８には、第一実施形態の押圧部材８の本体部８ａの様な螺旋状の溝１４ａ、１４ｂ（図９）は設けられていない。
【００８４】
側面壁部５６ａには、図１７乃至図１９に示す様に、下側傾斜段部５９と上側傾斜段部６０が設けられている。下側傾斜段部５９は、側面壁部５６ａの下部側であって、退入側から突出側へいくほど低くなる様に傾斜した段を構成している。上側傾斜段部６０は、側面壁部５６ａの上部側であって、退入側から突出側へいくほど高くなる様に傾斜した段を構成している。すなわち、側面壁部５６ａの下部側と上部側には側面壁部５６ａの肉厚が厚い部位があり、側面壁部５６ａの中央部分には肉厚が薄い部位があり、側面壁部５６ａは中央部分が凹んだ様な構造を呈している。換言すると、側面壁部５６ａの中央部分には、退入側から突出側へいくほど高さ方向の幅が大きくなる凹みがある。この凹みは扇状に拡がっており、扇状の根元部分（退入側の端部付近）には支持軸部６１が設けられている。支持軸部６１は、側面壁部５６ａの厚み方向に突出する突起状の部位である。
【００８５】
下側傾斜段部５９と上側傾斜段部６０は、ラッチケース３７の側面壁部４６ａ、４６ｂの内側面と近接対向し、摺動部としても機能する。
【００８６】
支持軸部６１には、揺動部材４２が装着されている。
揺動部材４２は、細長い板状の部材であり、一方の端部には軸孔４２ａが設けられており、他方の端部には係合突起４２ｂ（係合部）が設けられている。
軸孔４２ａの中心と係合突起４２ｂの中心は同方向を向いている。すなわち、軸孔４２ａは、揺動部材４２の厚み方向に穿設された孔であり、係合突起４２ｂは、揺動部材４２の厚み方向に突出した突起である。
揺動部材４２の幅は、側面壁部５６ａの下側傾斜段部５９と上側傾斜段部６０の間隔よりも狭く、下側傾斜段部５９と上側傾斜段部６０の間に揺動部材４２を配置することができる。
揺動部材４２の係合突起４２ｂは、側面壁部５６ａの下側傾斜段部５９及び上側傾斜段部６０よりも側面壁部５６の厚み方向外側へ突出している。
【００８７】
図１７、図１８に示す様に、揺動部材４２の軸孔４２ａに支持軸部６１が挿通されており、揺動部材４２は、支持軸部６１を中心に円滑に揺動可能である。すなわち、揺動部材４２は、支持軸部６１を中心に下側傾斜段部５９と上側傾斜段部６０の間で揺動することができる。すなわち、下側傾斜段部５９と上側傾斜段部６０の間の扇形の凹部は、揺動部材４２の揺動範囲を確保しており、これによって係合突起４２ｂが長孔４５に沿って移動することができるようになっている。
【００８８】
支持部材４１は、図９に示す第一実施形態の反ラッチ側支持部材１１と同様の構造を有しているが、孔２１に半径方向内方へ突出する突起部２３ａ、２３ｂが設けられていない点のみが相違している。支持部材４１のその他の構造は反ラッチ側支持部材１１と同様であり、反ラッチ側支持部材１１の各部と同じ符号を付し、説明を省略する。
【００８９】
ばね９は、螺旋状のばねであり、第一実施形態のばね９と同じ部材である。
【００９０】
次に、ラッチユニット３４の組立構造について説明する。
ラッチケース３７内には、ラッチ６と押圧部材４０が収容されている。ラッチ６の被押圧部６ａの側面部６ｂには押圧部材４０の正面壁部５５が当接している。
【００９１】
押圧部材４０は、ラッチケース３７内で突出方向又は退入方向にのみ往復移動可能にガイドされている。具体的には、ラッチケース３７の内側面に押圧部材４０の天面壁部５７と底面壁部５８が係合するガイドレールが設けられており、このガイドレールに沿って押圧部材４０が突出方向及び退入方向に往復移動する。
また、図１５（ａ）に示す様に、揺動部材４２の係合突起４２ｂが、ラッチケース３７の長孔４５に係合している。
【００９２】
図２０に示す様に、押圧部材４０の軸部３８にばね９が外嵌されており、ばね９の一端は押圧部材４０の正面壁部５５の内面に当接している。また、ばね９の他端はラッチケース３７に取り付けられた支持部材４１の段部２２に当接している。
【００９３】
押圧部材４０の正面壁部５５と支持部材４１の段部２２の距離は、ばね９の自然長よりも短い。すなわち、ばね９は縮設された圧縮ばねであり、押圧部材４０を介してラッチ６を突出方向へ押圧している。
【００９４】
次に、ラッチ錠３３（ラッチユニット３４）の動作について説明する。
扉１（図１）に取り付けられた錠箱５のラッチ錠３３（ラッチユニット３４）は、通常は図１５（ａ）に示す様に、ラッチ６がばね９の付勢力によってラッチケース３７から突出した姿勢を保っており、ラッチ６は揺動可能である。このとき、揺動部材４２の係合突起４２ｂはラッチケース３７の長孔４５の突出側にある。
【００９５】
扉１を開閉し、ラッチ６が扉枠２側に押圧されるとラッチ６はばね９の付勢力に抗してラッチケース３７（錠箱５）内に揺動して退入し、図１５（ｂ）に示す状態となる。すなわち、係合突起４２ｂが長孔４５の退入側へ移動している。
【００９６】
揺動部材４２の揺動範囲は、図１７、図１８に示す下側傾斜段部５９と上側傾斜段部６０によって確保されており、揺動部材４２はこの確保された揺動範囲内で揺動することができ、係合突起４２ｂがＷ字形の長孔４５に沿って移動することができる。
【００９７】
図２０に示す様に、ばね９は軸部３８に外嵌しているため、略真っ直ぐな姿勢を保って圧縮されている。
また、軸部３８は、支持部材４１の孔２１を貫通しており、図１５（ｂ）に示す様に、孔２１の右側（退入側）に突出している。
【００９８】
扉１が閉じられると、ラッチ６の扉枠２側からの押圧力がなくなり、ばね９の付勢力によってラッチ６及び押圧部材４０が突出方向に移動する。その際、押圧部材４０の揺動部材４２の係合突起４２ｂがラッチケース３７の長孔４５に係合しているので、係合突起４２ｂは長孔４５に沿いながら突出側へ移動する。すなわち、揺動部材４２は、図１７、図１８に示す様に支持軸部６１を中心に揺動し、係合突起４２ｂが上下に移動しながらＷ字形の長孔４５に沿って移動する。
【００９９】
よって、揺動部材４２の係合突起４２ｂが長孔４５に沿って移動する距離は、ラッチ及び押圧部材４０が突出側から退入側（又はその逆）に移動する距離よりも長い。そのため、ラッチ及び押圧部材４０の実質的な移動距離が長くなっており、換言すると移動速度が遅くなる。
【０１００】
また、係合突起４２ｂは長孔４５の縁に押し付けられながら長孔４５内を移動するため、両者の間には摩擦力が作用する。そのため、ラッチ６及び押圧部材４０の突出方向への移動速度が抑制される。よって、ラッチ６はゆっくりと図１５（ｂ）に示す退入位置から図１５（ａ）に示す突出位置に復帰する。その結果、ラッチ６が復帰することに起因する音の発生が良好に抑制される。
【０１０１】
側面壁部４６ａには、長孔４５の代わりに側面壁部４６ａの内側に長孔４５と同様の略Ｗ字形を呈する溝（有底穴）を形成してもよい。また、側面壁部４６ａには、Ｗ字形状の長孔４５の代わりに、一方向にのみ傾斜（例えば、側面壁部４６ａを正面視して上側から下側へ傾斜、又は下側から上側へ傾斜）した長孔又は溝を形成してもよい。さらに、長孔４５は、Ｗ字形に限らず、Ｖ字形やＮ字形等であってもよく、直線や曲線で構成されていてもよい。
【０１０２】
押圧部材４０の側面壁部５６ａの下側傾斜段部５９と上側傾斜段部６０の傾斜の向きを逆にして、支持軸部６１を側面壁部５６ａの突出側端部付近に設け、揺動部材４２の突出側と退入側を入れ替えてもよい。
すなわち、下側傾斜段部５９は、突出側から退入側へいくほど高さが低くなるように傾斜し、上側傾斜段部６０は、突出側から退入側へいくほど高さが高くなるように傾斜し、側面壁部５６ａの凹部が、突出側から退入側へいくほど高さ方向の幅が大きくなるように構成すると共に、揺動部材４２が、突出側を起点に退入側が下側傾斜段部５９と上側傾斜段部６０の間で上下に揺動できるようにしてもよい。
【０１０３】
押圧部材４０の側面壁部５６ｂにも揺動部材４２を設け、ラッチケース３７の両側に長孔４５を設けてもよい。すなわち、ラッチ錠３３の両側に長孔４５（ガイドライン）と揺動部材４２（係合部）を設けてもよい。
【符号の説明】
【０１０４】
３    ラッチ錠
５    錠箱
５ｂ  錠箱の仕切部（保持部）
６    ラッチ
７    ラッチケース（保持部）
８    押圧部材
９    ばね（付勢部材）
１０  ラッチ側支持部材
１１  反ラッチ側支持部材
１４  押圧部材の溝（ガイドライン）
２３ａ、２３ｂ  突起部（係合部）
３３  ラッチ錠
３７  ラッチケース（保持部）
４０  押圧部材
４１  支持部材
４２ｂ  揺動部材の係合突起（係合部）
４５  ラッチケースの長孔（ガイドライン）
【図１】
2018112018.tif 000003
【図２】
2018112018.tif 000004
【図３】
2018112018.tif 000005
【図４】
2018112018.tif 000006
【図５】
2018112018.tif 000007
【図６】
2018112018.tif 000008
【図７】
2018112018.tif 000009
【図８】
2018112018.tif 000010
【図９】
2018112018.tif 000011
【図１０】
2018112018.tif 000012
【図１１】
2018112018.tif 000013
【図１２】
2018112018.tif 000014
【図１３】
2018112018.tif 000015
【図１４】
2018112018.tif 000016
【図１５】
2018112018.tif 000017
【図１６】
2018112018.tif 000018
【図１７】
2018112018.tif 000019
【図１８】
2018112018.tif 000020
【図１９】
2018112018.tif 000021
【図２０】
2018112018.tif 000022
【図２１】
2018112018.tif 000023
【図２２】
2018112018.tif 000024